(57)【要約】  カートンは、筒状構造を形成する、上面パネル（１２／２０）、底面パネル（１６）、第１の側面パネル（１４）、及び、第２の側面パネル（１８）を含む複数のパネルを備える。複数のパネルの１つは、そのパネル内に画定されるハンドル構造（ｈ）を含む。ハンドル構造は、それぞれがハンドルストラップの第１の縁を画定する少なくとも１つの第１の折り目（Ｘ，Ｙ，Ｚ）を有する第１の折り構造の対（Ｒ，Ｒ）と、それぞれがハンドルストラップの第２の縁を画定する少なくとも１つの第２の折り目を有する第２の折り構造の対と、を含む。少なくとも１つの第１の折り目と、少なくとも１つの第２の折り目と、のぞれぞれは、複数のパネルの１つ内に少なくとも部分的に画定されており、カートンは、複数のパネルの１つ（２０）の内面と面接触するように配置されるマンドレルパネル（２２）を備える。
2016530174.tif 000002
【特許請求の範囲】
【請求項１】
１つまたは複数の物品を梱包するためのカートンであって、前記カートンは、筒状構造を形成する、上面パネル、底面パネル、第１の側面パネル、及び、第２の側面パネルを含む複数のパネルを備え、前記複数のパネルの１つは、そのパネル内に画定されるハンドル構造を含み、前記ハンドル構造は、それぞれがハンドルストラップの第１の縁を画定する少なくとも１つの第１の折り目を有する第１の折り構造の対と、それぞれがハンドルストラップの第２の縁を画定する少なくとも１つの第２の折り目を有する第２の折り構造の対とを含み、前記少なくとも１つの第１の折り目と、前記少なくとも１つの第２の折り目と、のぞれぞれは、前記複数のパネルの１つ内に少なくとも部分的に画定されており、前記カートンは、前記複数のパネルの１つの内面と面接触するように配置されるマンドレルパネルを備え、前記マンドレルパネルは、第１の縁及び第２の縁を備え、前記第２の縁は、前記第１の縁に対向しており、前記第１の縁は、前記第１の折り構造の対を折り曲げ易いように構成され、前記第２の縁は、前記第２の折り構造の対を折り曲げ易いように構成されることを特徴とするカートン。
【請求項２】
前記マンドレルパネルの前記第１の縁及び前記第２の縁それぞれは、少なくとも部分的に自由縁であることを特徴とする請求項１に記載のカートン。
【請求項３】
前記マンドレルパネルの前記第１の縁及び前記第２の縁それぞれは、少なくとも部分的に自由縁であることを特徴とする請求項２に記載のカートン。
【請求項４】
前記マンドレルパネルの前記第１の縁及び前記第２の縁それぞれは、運搬用ハンドルが使用される際に、前記ハンドルストラップの前記第１の縁及び前記第２の縁が折れるガイドを設けるように前記ハンドルストラップを補完するように形状化されることを特徴とする請求項２に記載のカートン。
【請求項５】
前記複数のパネルの１つは、少なくとも部分的に重なる関係で第１のパネル及び第２のパネルから形成されることを特徴とする請求項１に記載のカートン。
【請求項６】
前記第１の折り構造の対は、前記第１のパネルに画定され、かつ、前記第２の折り構造の対は、前記第２のパネルに画定されることを特徴とする請求項５に記載のカートン。
【請求項７】
前記マンドレルパネルは、前記第１のパネル及び前記第２のパネルの１つにヒンジ連結されることを特徴とする請求項５に記載のカートン。
【請求項８】
前記マンドレルパネルは、前記第１のパネル及び前記第２のパネルの最も内側の１つに連結されることを特徴とする請求項５に記載のカートン。
【請求項９】
前記ハンドル構造は、第１の開口及び第２の開口を備え、前記第２の開口は、前記第１の開口から離間しており、かつ、第１の開口と第２の開口との間にハンドルストラップを画定することを特徴とする請求項１に記載のカートン。
【請求項１０】
前記第１の開口は、前記第１のパネルから打ち抜かれ、かつ、前記第２の開口は、前記第２のパネルから打ち抜かれることを特徴とする請求項５または９に記載のカートン。
【請求項１１】
前記第１の開口は、第１のヒンジ連結によって前記第１のパネルにヒンジ連結される第１のクッションフラップによって部分的に画定されることを特徴とする請求項９に記載のカートン。
【請求項１２】
前記第１のヒンジ連結は、前記ハンドルストラップの第１の側縁を部分的に画定することを特徴とする請求項１１に記載のカートン。
【請求項１３】
前記第２の開口は、第２のヒンジ連結によって前記第２のパネルにヒンジ連結される第２のクッションフラップによって部分的に画定されることを特徴とする請求項９に記載のカートン。
【請求項１４】
前記第２のヒンジ連結は、前記ハンドルストラップの第２の側縁を部分的に画定することを特徴とする請求項１３に記載のカートン。
【請求項１５】
前記第１の折り構造の対は、３つの折り目を備えることを特徴とする請求項１の記載のカートン。
【請求項１６】
前記３つの折り目は、前記第１の開口に近接する共通の頂点で互いに交差することを特徴とする請求項９または１５に記載のカートン。
【請求項１７】
前記３つの折り目ぞれぞれは、前記上面パネルの側縁と前記上面パネルの末端縁との間に延在する弱化切断線と交差することを特徴とする請求項１５に記載のカートン。
【請求項１８】
前記３つの折り目の１つは、側面パネル内に延在することを特徴とする請求項１５に記載のカートン。
【請求項１９】
前記第２の折り構造の対それぞれは、３つの折り目を備えることを特徴とする請求項１に記載のカートン。
【請求項２０】
前記３つの折り目は、前記第２の開口に近接する共通の頂点で互いに交差することを特徴とする請求項９または１９に記載のカートン。
【請求項２１】
前記３つの折り目ぞれぞれは、前記上面パネルの側縁と前記上面パネルの末端縁との間に延在する弱化切断線と交差することを特徴とする請求項１９に記載のカートン。
【請求項２２】
前記３つの折り目の１つは、側面パネル内に延在することを特徴とする請求項１９に記載のカートン。
【請求項２３】
カートンを形成するためのブランクであって、前記ブランクは、組み立てられたカートンにおける筒状構造の複数の壁を形成する、上面パネル、底面パネル、第１の側面パネル、及び、第２の側面パネルを形成するための複数のパネルを備え、前記複数の壁の１つは、前記複数のパネルの少なくとも１つに画定されるハンドル構造を含み、前記ハンドル構造は、ハンドルストラップの第１の縁を画定する少なくとも１つの第１の折り目と、ハンドルストラップの第２の縁を画定する少なくとも１つの第２の折り目と、をそれぞれが有する第１の折り構造の対を含み、前記第２の縁は、前記第１の縁に対向しており、前記少なくとも１つの第１の折り目及び前記少なくとも１つの第２の折り目のそれぞれは、前記複数のパネルの１つに少なくとも部分的に画定され、前記ブランクは、マンドレルパネルを備え、前記マンドレルパネルは、第１の縁及び第２の縁を備え、前記第２の縁は前記第２の縁に対向しており、前記第１の縁は、前記第１の折り構造の対を折ることを容易にするように構成され、前記第２の縁は、前記第２の折り構造の対を折ることを容易にするように構成されることを特徴とするブランク。
【請求項２４】
前記複数の壁の１つは、前記複数のパネルの第１のパネルと、前記複数のパネルの第２のパネルと、から形成される複合パネルであり、前記第１のパネル及び前記第２のパネルは、組み立てられたカートンにおいて少なくとも部分的に重なる関係で配置されるように構成されていることを特徴とする請求項２３に記載のブランク。
【請求項２５】
前記第１の折り構造の対は、前記第１のパネル内に画定され、前記第２の折り構造の対は、前記第２のパネル内に画定されることを特徴とする請求項２３に記載のブランク。
【請求項２６】
前記マンドレルパネルは、折り目によって前記第１のパネルにヒンジ連結されることを特徴とする請求項２３に記載のブランク。
【請求項２７】
前記マンドレルパネルから部分的に、かつ、前記第１のパネル及び前記第２のパネルの前記１つから部分的に打ち抜かれる開口を備えることを特徴とする請求項２６に記載のブランク。
【請求項２８】
前記マンドレルパネルから打ち抜かれる切り欠きを備えることを特徴とする請求項２３に記載のブランク。
【請求項２９】
前記切り欠きは、前記マンドレルパネルの第１の自由縁の少なくとも一部を画定することを特徴とする請求項２８に記載のブランク。
【請求項３０】
前記開口の一部は、前記マンドレルパネルの第２の自由縁を画定することを特徴とする請求項２６に記載のブランク。
【請求項３１】
前記マンドレルパネルの前記第１の自由縁は、前記第１の折り構造の対と揃えられるように構成されることを特徴とする請求項２９に記載のブランク。
【請求項３２】
前記マンドレルパネルの前記第２の自由縁は、前記第２の折り構造の対と揃えられるように構成されることを特徴とする請求項３０に記載のブランク。
【請求項３３】
１つまたは複数の物品を梱包するためのカートンであって、前記カートンは、筒状構造を形成する、上面パネル、底面パネル、第１の側面パネル、及び、第２の側面パネルを含む複数のパネルを備え、前記上面パネルは、前記上面パネル内に画定されるハンドル構造を含み、前記ハンドル構造は、第１の開口及び第２の開口を含み、前記第２の開口は、前記第１の開口から離間し、かつ、前記第１の開口と前記第２の開口との間にハンドルストラップが画定され、前記ハンドル構造は、前記第１の開口の第１の端部から前記上面パネルの第１の隅へ延在する第１の折り構造、前記第２の開口の第１の端部から前記上面パネルの第２の隅へ延在する第２の折り構造前記第１の開口の第２の端部から前記上面パネルの第３の隅へ延在する第３の折り構造、前記第２の開口の第２の端部から前記上面パネルの第４の隅へ延在する第４の折り構造、を備え、各折り構造は、前記上面パネルの側縁と前記上面パネルの末端縁との間に延在する弱化切断線を備え、各折り構造は、前記第１及び第２の開口の前記第１及び第２の端部それぞれから前記弱化切断線それぞれに延在する第１の折り目を備え、各折り構造は、前記上面パネルのターゲット領域を画定し、前記ターゲット領域は、第１の概念線、第２の概念線、及び、前記弱化切断線によって画定されており、前記第１の概念線は、前記折り目が前記第１及び第２の開口の前記第１及び第２の端部の対応するほうと交差する点と、前記弱化切断線が前記上面パネルの前記側縁と交差する点と、の間に延在し、前記第２の概念線は、前記折り目が前記第１及び第２の開口の前記第１及び第２の端部の対応するほうと交差する点と、前記弱化切断線が前記上面パネルの前記末端縁と交差する点と、の間に延在し、前記カートンは、前記上面パネルの内面と面接触するように配置されるマンドレルパネルを備え、前記マンドレルパネルは、第１の縁及び第２の縁を備え、前記第２の縁は、前記第１の縁に対向し、前記第１の縁は、前記第１の折り構造及び前記第２の折り構造を折り易くするように構成され、前記第２の縁は、前記第３の折り構造及び前記第４の折り構造を折り易くするように構成され、前記マンドレルパネルの前記第１の縁の少なくとも一部は、前記第１の折り構造の前記ターゲット領域及び前記第２の折り構造の前記ターゲット領域と垂直に整列するように配置され、前記マンドレルパネルの前記第２の縁の少なくとも一部は、前記第３の折り構造の前記ターゲット領域及び前記第４の折り構造の前記ターゲット領域と垂直に整列するように配置されることを特徴とするカートン。
【請求項３４】
１つまたは複数の物品を梱包するためのカートンであって、前記カートンは、筒状構造を形成する、上面パネル、底面パネル、第１の側面パネル、及び、第２の側面パネルを含む複数のパネルを備え、複合上面パネルは、ハンドル構造を設け、前記ハンドル構造は、第１の開口及び第２の開口を含み、前記第２の開口は、前記第１の開口から離間し、かつ、前記第１の開口と前記第２の開口との間にハンドルストラップが画定され、前記ハンドル構造は、前記第１の開口の第１の端部から前記上面パネルの第１の隅へ延在する第１の折り構造を備え、前記第１の折り構造は、前記上面パネルの第１の側縁と前記上面パネルの第１の末端縁との間に延在する弱化切断線を備え、前記第１の折り構造は、前記第１の開口の第１の端部から前記弱化切断線に延在する第１の折り目を備え、前記第１の折り構造は、前記上面パネルの第１のターゲット領域を画定し、前記第１のターゲット領域は、第１の概念線、第２の概念線、及び、前記弱化切断線によって画定されており、前記第１の概念線は、前記第１の折り目が前記第１の開口の前記第１の端部と交差する点と、前記弱化切断線が前記上面パネルの前記第１の側縁と交差する点と、の間に延在し、前記第２の概念線は、前記第１の折り目が前記第１の開口の前記第１の端部と交差する点と、前記弱化切断線が前記上面パネルの前記第１の末端縁と交差する点と、の間に延在し、前記カートンは、前記上面パネルの内面と面接触するように配置されるマンドレルパネルを備え、前記マンドレルパネルは、第１の自由縁を備え、前記第１の自由縁は、前記第１の折り構造を折り易くするように構成され、前記マンドレルパネルの前記第１の自由縁の端部は、前記第１の折り構造の前記第１のターゲット領域と垂直に整列するように配置されることを特徴とするカートン。
【請求項３５】
前記マンドレルパネルは、第２の自由縁を備え、前記第２の自由縁は、前記第１の自由縁に対向し、前記第１の自由縁及び前記第２の自由縁は、前記第１の開口及び前記第２の開口に向けて収束し、前記第２の自由縁は、前記複合上面パネルによって設けられる第２の折り構造を折り易くするように構成され、前記第２の折り構造は、前記上面パネルの第２の側縁と前記上面パネルの第１の末端縁との間に延在する第２の弱化切断線を備え、前記第２の折り構造は、前記第２の開口の第１の端部から前記弱化切断線に延在する第２の折り目を備え、前記第２の折り構造は、前記上面パネルの第２のターゲット領域を画定し、前記第２のターゲット領域は、第３の概念線、第４の概念線、及び、前記弱化切断線によって画定されており、前記第３の概念線は、前記第３の折り目が前記第２の開口の前記第１の端部と交差する点と、前記第２の弱化切断線が前記上面パネルの前記第２の側縁と交差す点と、の間に延在し前記第４の概念線は、前記第２の折り目が前記第２の開口の前記第１の端部と交差する点と、前記第２の弱化切断線が前記上面パネルの前記第１の末端縁と交差す点と、の間に延在し、前記マンドレルパネルの前記第２の自由縁の一端部は、前記第２の折り構造の前記第２のターゲット領域と垂直に整列するように配置されていることを特徴とする請求項３４に記載にカートン。
【請求項３６】
前記第１の折り構造は、前記上面パネルの第１の側縁に配置される第１の弱化切断線が前記上面パネルの前記第１の端部から前記第１の開口に近接する前記第１の折り目との交差点に延在する第３の折り目を備え、また、前記第１の折り目は、前記上面パネルの第１の末端縁に配置される前記第１の弱化切断線の第２の端部から前記第１の折り目と前記第３の折り目との交差点に延在する第４の折り目を備え、前記第３の折り目、前記第４の折り目、及び、前記第１の弱化切断線は、第３のターゲット領域を画定し、前記マンドレルパネルの前記第１の自由縁の前記端部は、前記第１の折り構造の前記第３のターゲット領域と垂直に整列されるように配置されることを特徴とする請求項３４に記載にカートン。
【請求項３７】
前記第２の折り構造は、前記上面パネルの第２の側縁に配置される弱化切断線の第１の端部から、前記第２の開口に近接する第２の折り目との交差点に延在する第５の折り目を備え、第２の折り構造は、前記上面パネルの第１の末端縁に配置される前記第２の弱化切断線の第２の端部から前記第２の折り目と前記第５折り目との交差点延在する第６の折り目を備え、前記第５の折り目、前記第６の折り目、及び、前記第２の弱化切断線は、第４のターゲット領域を画定し、前記マンドレルパネルの第第２の自由縁の端部は、前記第２の折り構造の前記第４のターゲット領域と垂直に整列するように配置されることを特徴とする請求項３５に記載のカートン。
【請求項３８】
１つまたは複数の物品を梱包するためのカートンであって、前記カートンは、筒状構造を形成する、第１の上面パネル、第２の上面パネル、底面パネル、第１の側面パネル、及び、第２の側面パネルを含む複数のパネルを備え、前記第１の上面パネル及び前記第２の上面パネルは、複合上面パネルを形成し、前記第１の上面パネル及び前記第２の上面パネルは、少なくとも部分的に重なる関係で配置され、前記第１の上面パネルは、最外側に配置され、前記複合上面パネルは、ハンドル構造を形成し、前記カートンは、マンドレルパネルを備え、前記マンドレルパネルは、前記第２の上面パネルにヒンジ連結され、かつ、前記第２の上面パネルの自由縁及び前記マンドレルパネルの自由縁を画定する切り取りによって前記第１の上面パネルから部分的に離間され、前記第２の上面パネルの前記自由縁は、前記マンドレルパネルの前記自由縁と垂直に整列するように配置されており、これにより、前記ハンドル構造が使用される際に前記第１の上面パネルが折られるガイド縁を形成することを特徴とするカートン。
【請求項３９】
前記ハンドル構造は、第１のハンドル開口の第１の端部から前記上面パネルの第１の隅に延在する第１の折り構造を備え、前記第１の折り構造は、前記上面パネルの第１の側縁と前記上面パネルの第１の末端縁との間に延在する第１の弱化切断線を備え、前記第１の折り構造は、前記第１のハンドル開口の第１の端部から前記第１の弱化切断線に延在する第１の折り目を備え、前記第１の折り構造は、前記第１の上面パネルの第１のターゲット領域を画定し、前記第１のターゲット領域は、第１の概念線、第２の概念線、及び、前記第１の弱化切断線によって画定され、前記第１の概念線は、前記第１の折り目が前記第１のハンドル開口の前記第１の端部と交差する点と、前記第１の弱化切断線が前記上面パネルの前記第１の側縁と交差する点と、の間に延在し、第２の概念線は、前記第１の折り目が前記第１のハンドル開口の前記第１の端部と交差する点と、前記第１の弱化切断線が前記第１の上面パネルの前記第１の末端縁と交差する点と、の間に延在し、前記マンドレルパネルの前記ガイド縁の端部は、前記第１の折り構造の前記第１のターゲット領域と垂直に整列するように配置されることを特徴とする請求項３８に記載のカートン。
【発明の詳細な説明】
【技術分野】
【０００１】
本願は、その全体において参照することによって本願明細書に組み込まれる、２０１３年９月１３日付けの米国番号第６１／８７７３３０号の優先権を主張するものである。
【０００２】
本願発明は、カートンを形成するためのカートン及びブランクに関し、より具体的には、だが限定することなく、カートンを運搬するための運搬用ハンドルを有するカートンに関する。
【背景技術】
【０００３】
梱包体の分野において、消費者に複数の主製品容器を備える梱包体を提供する必要がよくある。このようなマルチパックは、出荷及び分配のために、かつ、販売促進情報の表示のために好ましい。コスト及び環境意識のために、このようなカートンまたはキャリアは、可能な限りカートンを形成する材料の無駄を少なくするように、可能な限り少ない材料から形成される必要がある。別の考慮すべき点は、その重い物品を保持し、輸送するための梱包体の強度及び適合性である。
【０００４】
消費者による運搬のためにカートンに運搬用ハンドルを設けることが所望される。
【発明の概要】
【発明が解決しようとする課題】
【０００５】
本願発明は、先行技術の課題を解消する、または、少なくとも軽減しようとするものである。
【課題を解決するための手段】
【０００６】
本発明の第１の態様では、１つまたは複数の物品を梱包するためのカートンが設けられ、このカートンは、筒状構造を形成する、上面パネル、底面パネル、第１の側面パネル、及び、第２の側面パネルを含む複数のパネルを備え、複数のパネルの１つは、そのパネル内に画定されるハンドル構造を含み、ハンドル構造は、それぞれがハンドルストラップの第１の縁を画定する少なくとも１つの第１の折り目を有する第１の折り構造の対と、それぞれがハンドルストラップの第２の縁を画定する少なくとも１つの第２の折り目を有する第２の折り構造の対とを含み、少なくとも１つの第１の折り目と、少なくとも１つの第２の折り目と、のぞれぞれは、複数のパネルの１つ内に少なくとも部分的に画定されており、カートンは、複数のパネルの１つの内面と面接触するように配置されるマンドレルパネルを備え、マンドレルパネルは、第１の縁及び第２の縁を備え、第２の縁は、第１の縁に対向しており、第１の縁は、第１の折り構造の対を折り曲げ易いように構成され、第２の縁は、第２の折り構造の対を折り曲げ易いように構成される。
【０００７】
随意的に、マンドレルパネルの第１の縁及び第２の縁それぞれは、少なくとも部分的に自由縁である。
【０００８】
好ましくは、マンドレルパネルの第１の縁及び第２の縁それぞれは、少なくとも部分的に自由縁である。
【０００９】
ある実施形態では、マンドレルパネルの第１の縁及び第２の縁それぞれは、運搬用ハンドルが使用される際に、ハンドルストラップの第１の縁及び第２の縁が折れるガイドを設けるようにハンドルストラップを補完するように形状化される。
【００１０】
随意的に、複数のパネルの１つは、少なくとも部分的に重なる関係で第１のパネル及び第２のパネルから形成される。
【００１１】
随意的に、第１の折り構造の対は、第１のパネルに画定され、かつ、第２の折り構造の対は、第２のパネルに画定される。
【００１２】
マンドレルパネルは、第１のパネル及び第２のパネルの１つにヒンジ連結され得る。
【００１３】
好ましくは、マンドレルパネルは、第１のパネル及び第２のパネルの最も内側の１つに連結される。
【００１４】
随意的に、ハンドル構造は、第１の開口及び第２の開口を備え、第２の開口は、第１の開口から離間しており、かつ、第１の開口と第２の開口との間にハンドルストラップを画定する。
【００１５】
好ましくは、第１の開口は、第１のパネルから打ち抜かれ、かつ、第２の開口は、第２のパネルから打ち抜かれる。
【００１６】
随意的に、第１の開口は、第１のヒンジ連結によって第１のパネルにヒンジ連結される第１のクッションフラップによって部分的に画定される。
【００１７】
ある実施形態では、第１のヒンジ連結は、ハンドルストラップの第１の側縁を部分的に画定する。
【００１８】
随意的に、第２の開口は、第２のヒンジ連結によって第２のパネルにヒンジ連結される第２のクッションフラップによって部分的に画定される。
【００１９】
ある実施形態では、第２のヒンジ連結は、ハンドルストラップの第２の側縁を部分的に画定する。
【００２０】
第１の折り構造の対は、３つの折り目を備え得る。
【００２１】
随意的に、３つの折り目は、第１の開口に近接する共通の頂点で互いに交差する。
【００２２】
随意的に、３つの折り目ぞれぞれは、上面パネルの側縁と上面パネルの末端縁との間に延在する弱化切断線と交差する。
【００２３】
随意的に、３つの折り目の１つは、側面パネル内に延在する。
【００２４】
第２の折り構造の対それぞれは、３つの折り目を備え得る。
【００２５】
随意的に、３つの折り目は、第２の開口に近接する共通の頂点で互いに交差する。
【００２６】
随意的に、３つの折り目ぞれぞれは、上面パネルの側縁と上面パネルの末端縁との間に延在する弱化切断線と交差する。
【００２７】
随意的に、３つの折り目の１つは、側面パネル内に延在する。
【００２８】
本願発明の第２の態様では、カートンを形成するためのブランクが設けられ、このブランクは、組み立てられたカートンにおける筒状構造の複数の壁を形成する、上面パネル、底面パネル、第１の側面パネル、及び、第２の側面パネルを形成するための複数のパネルを備え、複数の壁の１つは、複数のパネルの少なくとも１つに画定されるハンドル構造を含み、ハンドル構造は、ハンドルストラップの第１の縁を画定する少なくとも１つの第１の折り目と、ハンドルストラップの第２の縁を画定する少なくとも１つの第２の折り目と、をそれぞれが有する第１の折り構造の対を含み、第２の縁は、第１の縁に対向しており、少なくとも１つの第１の折り目及び少なくとも１つの第２の折り目のそれぞれは、複数のパネルの１つに少なくとも部分的に画定され、ブランクは、マンドレルパネルを備え、マンドレルパネルは、第１の縁及び第２の縁を備え、第２の縁は第２の縁に対向しており、第１の縁は、第１の折り構造の対を折ることを容易にするように構成され、第２の縁は、第２の折り構造の対を折ることを容易にするように構成される。
【００２９】
随意的に、複数の壁の１つは、複数のパネルの第１のパネルと、複数のパネルの第２のパネルと、から形成される複合パネルであり、第１のパネル及び第２のパネルは、組み立てられたカートンにおいて少なくとも部分的に重なる関係で配置されるように構成されている。
【００３０】
随意的に、第１の折り構造の対は、第１のパネル内に画定され、第２の折り構造の対は、第２のパネル内に画定される。
【００３１】
マンドレルパネルは、折り目によって第１のパネルにヒンジ連結され得る。
【００３２】
随意的に、ブランクは、マンドレルパネルから部分的に、かつ、第１のパネル及び第２のパネルの１つから部分的に打ち抜かれる開口を備える。
【００３３】
随意的に、ブランクは、マンドレルパネルから打ち抜かれる切り欠きを備える。
【００３４】
ある実施形態では、切り欠きは、マンドレルパネルの第１の自由縁の少なくとも一部を画定する。
【００３５】
ある実施形態では、開口の一部は、マンドレルパネルの第２の自由縁を画定する。
【００３６】
随意的に、マンドレルパネルの第１の自由縁は、第１の折り構造の対と揃えられるように構成される。
【００３７】
随意的に、マンドレルパネルの第２の自由縁は、第２の折り構造の対と揃えられるように構成される。
【００３８】
本願発明の第３の態様にでは、１つまたは複数の物品を梱包するためのカートンが設けられ、このカートンは、筒状構造を形成する、上面パネル、底面パネル、第１の側面パネル、及び、第２の側面パネルを含む複数のパネルを備え、上面パネルは、上面パネル内に画定されるハンドル構造を含み、ハンドル構造は、第１の開口及び第２の開口を含み、第２の開口は、第１の開口から離間し、かつ、第１の開口と第２の開口との間にハンドルストラップが画定され、ハンドル構造は、第１の開口の第１の端部から上面パネルの第１の隅へ延在する第１の折り構造、第２の開口の第１の端部から上面パネルの第２の隅へ延在する第２の折り構造第１の開口の第２の端部から上面パネルの第３の隅へ延在する第３の折り構造、第２の開口の第２の端部から上面パネルの第４の隅へ延在する第４の折り構造、を備え、各折り構造は、上面パネルの側縁と上面パネルの末端縁との間に延在する弱化切断線を備え、各折り構造は、第１及び第２の開口の第１及び第２の端部それぞれから弱化切断線それぞれに延在する第１の折り目を備え、各折り構造は、上面パネルのターゲット領域を画定し、ターゲット領域は、第１の概念線、第２の概念線、及び、弱化切断線によって画定されており、第１の概念線は、折り目が第１及び第２の開口の第１及び第２の端部の対応するほうと交差する点と、弱化切断線が上面パネルの側縁と交差する点と、の間に延在し、第２の概念線は、折り目が第１及び第２の開口の第１及び第２の端部の対応するほうと交差する点と、弱化切断線が上面パネルの末端縁と交差する点と、の間に延在し、カートンは、上面パネルの内面と面接触するように配置されるマンドレルパネルを備え、マンドレルパネルは、第１の縁及び第２の縁を備え、第２の縁は、第１の縁に対向し、第１の縁は、第１の折り構造及び第２の折り構造を折り易くするように構成され、第２の縁は、第３の折り構造及び第４の折り構造を折り易くするように構成され、マンドレルパネルの第１の縁の少なくとも一部は、第１の折り構造のターゲット領域及び第２の折り構造のターゲット領域と垂直に整列するように配置され、マンドレルパネルの第２の縁の少なくとも一部は、第３の折り構造のターゲット領域及び第４の折り構造のターゲット領域と垂直に整列するように配置される。
【００３９】
本発明の第４の態様では、１つまたは複数の物品を梱包するためのカートンが設けられ、このカートンは、筒状構造を形成する、上面パネル、底面パネル、第１の側面パネル、及び、第２の側面パネルを含む複数のパネルを備え、複合上面パネルは、ハンドル構造を設け、ハンドル構造は、第１の開口及び第２の開口を含み、第２の開口は、第１の開口から離間し、かつ、第１の開口と第２の開口との間にハンドルストラップが画定され、ハンドル構造は、第１の開口の第１の端部から上面パネルの第１の隅へ延在する第１の折り構造を備え、第１の折り構造は、上面パネルの第１の側縁と上面パネルの第１の末端縁との間に延在する弱化切断線を備え、第１の折り構造は、第１の開口の第１の端部から弱化切断線に延在する第１の折り目を備え、第１の折り構造は、上面パネルの第１のターゲット領域を画定し、第１のターゲット領域は、第１の概念線、第２の概念線、及び、弱化切断線によって画定されており、第１の概念線は、第１の折り目が第１の開口の第１の端部と交差する点と、弱化切断線が上面パネルの第１の側縁と交差する点と、の間に延在し、第２の概念線は、第１の折り目が第１の開口の第１の端部と交差する点と、弱化切断線が上面パネルの第１の末端縁と交差する点と、の間に延在し、カートンは、上面パネルの内面と面接触するように配置されるマンドレルパネルを備え、マンドレルパネルは、第１の自由縁を備え、第１の自由縁は、第１の折り構造を折り易くするように構成され、マンドレルパネルの第１の自由縁の端部は、第１の折り構造の第１のターゲット領域と垂直に整列するように配置される。
【００４０】
随意的に、マンドレルパネルは、第２の自由縁を備え、第２の自由縁は、第１の自由縁に対向し、第１の自由縁及び第２の自由縁は、第１の開口及び第２の開口に向けて収束し、第２の自由縁は、複合上面パネルによって設けられる第２の折り構造を折り易くするように構成され、第２の折り構造は、上面パネルの第２の側縁と上面パネルの第１の末端縁との間に延在する第２の弱化切断線を備え、第２の折り構造は、第２の開口の第１の端部から弱化切断線に延在する第２の折り目を備え、第２の折り構造は、上面パネルの第２のターゲット領域を画定し、第２のターゲット領域は、第３の概念線、第４の概念線、及び、弱化切断線によって画定されており、第３の概念線は、第３の折り目が第２の開口の第１の端部と交差する点と、第２の弱化切断線が上面パネルの第２の側縁と交差す点と、の間に延在し第４の概念線は、第２の折り目が第２の開口の第１の端部と交差する点と、第２の弱化切断線が前記上面パネルの第１の末端縁と交差す点と、の間に延在し、マンドレルパネルの第２の自由縁の一端部は、第２の折り構造の第２のターゲット領域と垂直に整列するように配置されている。
【００４１】
随意的に、第１の折り構造は、上面パネルの第１の側縁に配置される第１の弱化切断線が上面パネルの第１の端部から第１の開口に近接する第１の折り目との交差点に延在する第３の折り目を備え、また、第１の折り目は、上面パネルの第１の末端縁に配置される第１の弱化切断線の第２の端部から第１の折り目と第３の折り目との交差点に延在する第４の折り目を備え、第３の折り目、第４の折り目、及び、第１の弱化切断線は、第３のターゲット領域を画定し、マンドレルパネルの第１の自由縁の端部は、第１の折り構造の第３のターゲット領域と垂直に整列されるように配置される。
【００４２】
随意的に、第２の折り構造は、上面パネルの第２の側縁に配置される弱化切断線の第１の端部から、第２の開口に近接する第２の折り目との交差点に延在する第５の折り目を備え、第２の折り構造は、上面パネルの第１の末端縁に配置される第２の弱化切断線の第２の端部から第２の折り目と第５折り目との交差点延在する第６の折り目を備え、第５の折り目、第６の折り目、及び、第２の弱化切断線は、第４のターゲット領域を画定し、マンドレルパネルの第第２の自由縁の端部は、第２の折り構造の第４のターゲット領域と垂直に整列するように配置される。
【００４３】
本発明の第５の態様では、１つまたは複数の物品を梱包するためのカートンが設けられ、このカートンは、筒状構造を形成する、第１の上面パネル、第２の上面パネル、底面パネル、第１の側面パネル、及び、第２の側面パネルを含む複数のパネルを備え、第１の上面パネル及び第２の上面パネルは、複合上面パネルを形成し、第１の上面パネル及び第２の上面パネルは、少なくとも部分的に重なる関係で配置され、第１の上面パネルは、最外側に配置され、複合上面パネルは、ハンドル構造を形成し、カートンは、マンドレルパネルを備え、マンドレルパネルは、第２の上面パネルにヒンジ連結され、かつ、第２の上面パネルの自由縁及びマンドレルパネルの自由縁を画定する切り取りによって第１の上面パネルから部分的に離間され、第２の上面パネルの自由縁は、マンドレルパネルの自由縁と垂直に整列するように配置されており、これにより、ハンドル構造が使用される際に第１の上面パネルが折られるガイド縁を形成する
【００４４】
随意的に、ハンドル構造は、第１のハンドル開口の第１の端部から上面パネルの第１の隅に延在する第１の折り構造を備え、第１の折り構造は、上面パネルの第１の側縁と上面パネルの第１の末端縁との間に延在する第１の弱化切断線を備え、第１の折り構造は、第１のハンドル開口の第１の端部から第１の弱化切断線に延在する第１の折り目を備え、第１の折り構造は、第１の上面パネルの第１のターゲット領域を画定し、第１のターゲット領域は、第１の概念線、第２の概念線、及び、第１の弱化切断線によって画定され、第１の概念線は、第１の折り目が第１のハンドル開口の第１の端部と交差する点と、第１の弱化切断線が上面パネルの第１の側縁と交差する点と、の間に延在し、第２の概念線は、第１の折り目が第１のハンドル開口の第１の端部と交差する点と、第１の弱化切断線が第１の上面パネルの第１の末端縁と交差する点と、の間に延在し、マンドレルパネルのガイド縁の端部は、第１の折り構造の第１のターゲット領域と垂直に整列するように配置される。
【００４５】
本願の範囲内において、前述の段落、特許請求の範囲及び／または、下記の説明、及び、図において考えられる、種々の態様、実施形態、例、特徴、及び、変形は、独立して、またはそれらの任意の組み合わせにいて採用されることが想定され、かつ、意図される。例えば、１つの実施形態に関連して説明される特徴は、特徴の非適合性がない限り全ての実施形態に適用可能である。
【００４６】
ここで本発明の例示的実施形態を、添付図を参照に説明する。
【図面の簡単な説明】
【００４７】
【図１】第１の実施形態におけるカートンを形成するためのブランクの上からの平面図である。
【図２】図１のブランクの一部の上からの拡大平面図である。
【図３】図１のブランクから形成されるカートンの上からの斜視図である。
【図４】カートンの上面パネルの下のマンドレルパネルを示す、図１のブランクから形成されるカートンの一部の内側からの斜視図である。
【図５】使用の際の運搬用ハンドルを示す、図１のカートンの上からの斜視図である。
【発明を実施するための形態】
【００４８】
梱包体、ブランク、及び、カートンの特定の実施形態の詳細な説明が、本明細書で開示される。開示される実施形態は、単に、実施され得る本発明のある態様における方法例であり、本発明が実施される全ての方法の包括的なリストを示すものではない。本願で使用される、「例示的」との用語は、実例、見本、モデル、または、パターンとして役立つ実施形態を意味するように拡張的に使用される。実際に、本願で説明されるパッケージ、ブランク、及び、カートンは、様々な、かつ、代わりの形において実施され得る。図は、スケールされる必要がなく、ある機構は、拡大または省略され、特定の部分の詳細を示す。公知の構成部分、材料、及び方法は、本願の開示事項の邪魔になることを避けるために、詳細に説明する必要はない。本願で説明されるいかなる特定の構造的かつ機能的な詳細もそれに限定するように解釈されるべきではなく、単に請求項の基として、また、当業者が様々に本発明を採用することを教示する見本的な基として解釈されるべきである。
【００４９】
図１を参照すると、例えば、しかし限定することなく、以下では物品Ｂと称される、缶またはボトルなどの主製品のための、図３に示すようなカートン９０を形成することができるブランク１０の平面図が示される。
【００５０】
本願で説明される実施形態では、「カートン」及び「キャリア」との用語は、本発明の様々な機構を図示することが限定されない目的ために、製品容器などの物品を係合、運搬、かつ／または分配するための容器を意味する。本発明の教示は、先細の、かつ／または円筒状であってもなくてもよい、様々な製品容器に適用され得ることが考えられる。例示的な容器は、ボトル（例えば金属、ガラス、またはプラスチックのボトル）、缶（例えばアルミ缶）、ブリキ缶、ポーチ、包み、及び同類物を含む。
【００５１】
ブランクは、適切な基材のシートから形成される。本願で使用される、「適切な基材」との用語は、板紙、波形板、ボール紙、プラスチック、これらの組み合せ、及び、同類物などの折り畳み可能なシート材のあらゆる種類を含むことが認識されるべきである。例えば、下記のより詳細に説明されるキャリア構造を構成するのに適するように１つまたは複数のブランクが採用され得ることが認識されるべきである。
【００５２】
例示的な実施形態では、ブランクは、例示的に配置された例示的な物品を梱包するためのカートンまたはキャリアを形成するように構成される。初めに図示された例示的な実施形態では、配置は３×５のマトリックスまたは列であり、物品はボトルである。または、ブランクは、他のタイプ、数、及びサイズの物品を梱包するため、かつ／または、異なる配置または構成において物品を梱包するためのキャリアを形成するように構成され得る。
【００５３】
ブランク１０は、複直線的に連続して互いにヒンジ連結された複数のメインパネル１２，１４，１６，１８，２０，２２を備える。ブランク１０は、折り目１３などのヒンジ連結によって第１の側面パネル１４にヒンジ連結された第１の上面パネル１２を備える。第１の側面パネル１４は、折り目１５などのヒンジ連結によって底面パネル１６にヒンジ連結される。底面パネル１６は、折り目１７などのヒンジ連結によって第２の側面パネル１８にヒンジ連結される。第２の側面パネル１８は、折り目１９などのヒンジ連結によって第２の上面パネル２０にヒンジ連結される。マンドレルパネル２２は、折り目２１などのヒンジ連結によって第２の上面パネル２０にヒンジ連結される。
【００５４】
ブランク１０の複数のメインパネル１２，１４，１６，１８，２０，２２は、組み立てられた状態で端部が開口した筒状構造を形成する。
【００５５】
筒状構造の各端部は、端部閉鎖パネルによって少なくとも部分的に閉じられる。図示される実施形態では、筒状構造の端部は、端部閉鎖パネル２６ａ，２８ａ，３０ａ，３２ａ，３４ａ，２６ｂ，２８ｂ，３０ｂ，３２ｂ，３４ｂ完全に閉じられる。
【００５６】
端部閉鎖パネル２６ａ，２８ａ，３０ａ，３２ａ，３４ａは、筒状構造の第１の端部を閉じるように構成され、端部閉鎖パネル２６ｂ，２８ｂ，３０ｂ，３２ｂ，３４ｂは、筒状構造の第２の端部を閉じるように構成される。
【００５７】
第１の端部閉鎖パネル２６ａは、折り目２７ａ等のヒンジ連結によって第１の上面パネル１２の第１の端部にヒンジ連結される。第２の端部閉鎖パネル２８ａは、折り目２９ａ等のヒンジ連結によって第１の側面パネル１４の第１の端部にヒンジ連結される。第３の端部閉鎖パネル３０ａは、折り目３１ａ等のヒンジ連結によって底面パネル１６の第１の端部にヒンジ連結される。第４の端部閉鎖パネル３２ａは、折り目３３ａ等のヒンジ連結によって第２の側面パネル１８の第１の端部にヒンジ連結される。第５の端部閉鎖パネル３４ａは、折り目３５ａ等のヒンジ連結によって第２の上面パネル２０の第１の端部にヒンジ連結される。
【００５８】
第６の端部閉鎖パネル２６ｂは、折り目２７ｂ等のヒンジ連結によって第１の上面パネル１２の第２の端部にヒンジ連結される。第７の端部閉鎖パネル２８ｂは、折り目２９ｂ等のヒンジ連結によって第１の側面パネル１４の第２の端部にヒンジ連結される。第８の端部閉鎖パネル３０ｂは、折り目３１ｂ等のヒンジ連結によって底面パネル１６の第２の端部にヒンジ連結される。第９の端部閉鎖パネル３２ｂは、折り目３３ｂ等のヒンジ連結によって第２の側面パネル１８の第２の端部にヒンジ連結される。第１０の端部閉鎖パネル３４ｂは、折り目３５ｂ等のヒンジ連結によって第２の上面パネル２０の第２の端部にヒンジ連結される。
【００５９】
第１の端部閉鎖パネル２６ａ及び第５の端部閉鎖パネル３４ａは、副上端部閉鎖パネルを形成する。第３の端部閉鎖パネル３０ａは、副下端部閉鎖パネルを形成する。第２の乱舞閉鎖パネル２８ａと第４の端部閉鎖パネル３２ａとのそれぞれは、主側端部閉鎖パネルを形成する。
【００６０】
第６の端部閉鎖パネル２６ｂ及び第１０の端部閉鎖パネル３４ｂは、副上端部閉鎖パネルを形成する。第８３の端部閉鎖パネル３０ｂは、副下端部閉鎖パネルを形成する。第７の乱舞閉鎖パネル２８ｂと第９の端部閉鎖パネル３２ｂとのそれぞれは、主側端部閉鎖パネルを形成する。
【００６１】
ブランク１０は、開口ａ１を備える。マンドレルパネル２２は、開口ａ１によって部分的に画定される。開口ａ１は、マンドレルパネル２２と第２の上面パネル２０とそれぞれから部分的に打ち抜かれる。
【００６２】
ブランク２０は、切欠き４２を備える。マンドレルパネル２２は、切欠き４２によって部分的に画定される。
【００６３】
マンドレルパネル２２は、２つの対向する自由側縁ｅ１，ｅ２、すなわち、各側縁の少なくとも一部がブランク１０に連結されていない、を備える。第１の自由縁ｅ１は、切欠き４２によって部分的に画定され、第２の自由縁ｅ２は、開口ａ１の一部によって画定される。第１の自由縁ｅ１は、第１のガイド縁を形成する。開口ａ１は、折り目２１に対しして対称であり、これにより、マンドレルパネル２２が、折り目２１で折られる際、マンドレルパネル２２の第２の自由縁ｅ２は、第２の上面パネル２０の自由縁と位置合わせされ、第２のガイド縁を形成する。第１の自由縁ｅ１は、把持部分３８ｃに向かって第２の自由縁ｅ２と収束する。
【００６４】
第１のハンドル開口ａ２は、第２の上面パネル２０から打ち抜かれる。第１のハンドル開口ａ２は、カートン９０の筒軸に対して長手方向に延在する。
【００６５】
第２の上面パネルは、クッションフラップを形成する第１のタブ４０ａを備える。第１のタブ４０ａは、折り目４１ａ等のヒンジ連結によって第２の上面パネル２０にヒンジ連結される。第１のタブ４０ａは、第１のハンドル開口ａ２の縁または境界の一部を画定する。
【００６６】
第２のハンドル開口ａ３は、第１の上面パネル１２から打ち抜かれる。第２のハンドル開口ａ３は、カートン９０の筒軸に対して長手方向に延在する。
【００６７】
第１の上面パネルは、クッションフラップを形成する第２のタブ４０ｂを備える。第２のタブ４０ｂは、折り目４１ｂ等のヒンジ連結によって第１の上面パネル１２にヒンジ連結される。第２のタブ４０ｂは、第２のハンドル開口ａ３の縁または境界の一部を画定する。
【００６８】
第１のハンドル開口ａ２及び第２のハンドル開口ａ３は、図３に示されるように組たれ立てられたカートン９０におけるハンドル構造ｈの一部を形成する。
【００６９】
第１の上面パネル１２は、第１のハンドル把持部分３８ａを備える。第１のハンドル把持部分３８ａは、折り目４１ｂによって部分的に画定される。第２の上面パネル２０は、第２のハンドル把持部分３８ｂを備える。第２のハンドル把持部分３８ｂは、折り目４１ａによって部分的に画定される。マンドレルパネル２２は、第３のハンドル把持部分３８ｃを備える。図示される実施形態において、第１、第２、及び第３のハンドル把持部分３８ａ，３８ｂ，３８ｃは、ハンドル構造ｈと共に中央に配置されるが、別の実施形態では、第１、第２、及び第３のハンドル把持部分３８ａ，３８ｂ，３８ｃは、中央からオフセットされ得る。
【００７０】
ブランク１０は、ハンドル構造ｈの一部を形成する、複数の折り構造Ｒを備える。各折り構造Ｒは、３つの折り目及び弱化切断線またはカットラインを備える。折り構造Ｒは、運搬用ハンドルｈが使用される際に上面パネル１２／２０が折れる好ましい位置を事前に画定する。折り構造Ｒそれぞれは、運搬用ハンドルが使用される際カートン９０に係る負荷を調整または方向付ける軽減装置を形成する。折り構造の第１の対は、運搬用ハンドルの第１の側縁を画定する。折り構造の第１の対は、第１の上面パネル１２の第１の隅Ｆに向かって、または、その中に延在する第１の折り構造と、第１の上面パネル１２の第２の隅に向かって、または、その中に延在する第２の折り構造と、を備える。第１の上面パネル１２の第１の隅Ｆは、図２を参照すると、折り目２７ａ及び折り目１３によって画定される。第１の上面パネル１２の第２の隅は、折り目２７ｂ及び折り目１３によって画定される。折り構造の第２の対は、運搬用ハンドルの第２の側縁を画定する。折り構造の第２の対は、第２の上面パネル２０の第３の隅に向かって、または、その中に延在する第３の折り構造と、第２の上面パネル２０の第４の隅に向かって、または、その中に延在する第４の折り構造と、を備える。第２の上面パネル２０の第３の隅は、折り目３４ａ及び折り目１９によって画定される。第２の上面パネル２０の第４の隅は、折り目３４ｂ及び折り目１９によって画定される。
【００７１】
折り構造Ｒそれぞれは、略同一の構成であり、図２に示されるように第１の上面パネル１２に配置される第１の折り構造Ｒを参照すると詳細に説明されるだろう。
【００７２】
折り構造Ｒは、第１の折り目Ｙを備える。第１の折り目Ｙは、折り目４１ｂの終端に隣接する、点Ａ、第２のハンドル開口ａ３の末端縁から、折り目２７ａによって画定される第１の上面パネル１２の末端縁に向けて延在する。
【００７３】
第２の折り目Ｘは、第１の折り目Ｙ上に配置される点Ｄから、折り目１３によって画定される第１の上面パネル１２の側縁に向けて延在する。第２の折り目Ｘ及び第１の折り目Ｙは、それらの間に角度αを画定し、好ましくは、角度αは鋭角であり、より好ましくは、角度αは、約１５°より小さく、例えば、１０°程度である。角度αは、８°〜１０°の範囲内であってもよい。
【００７４】
第２の折り目Ｘは、折り目１３と点Ｃで交差する。第２の折り目Ｘは、第１の側面パネル１４内へ連なる。第２の折り目Ｘは、第２の端部閉鎖パネル２８ａが第１の側面パネル１４にヒンジ連結する折り目２９ａ上に配置される点Ｈで終端する。
【００７５】
第３の折り目Ｚは、第１の折り目Ｙ上に配置される点Ｄから、折り目２７ａによって画定される第１の上面パネル１２の側縁に向けて延在する。第３の折り目Ｚ及び第１の折り目Ｙは、それらの間に角度βを画定し、好ましくは、角度βは鋭角であり、より好ましくは、角度βは、約１５°より小さく、例えば、１０°程度である。角度βは、８°〜１０°の範囲内であってもよい。
【００７６】
第３の折り目Ｚは、折り目２７ａと点Ｂで交差する。第３の折り目Ｚは、第１の端部閉鎖パネル２６ａが上面パネル１２にヒンジ連結する折り目２７ａ上に配置される点Ｂで終端する。
【００７７】
弱化切断線Ｅは、折り目２７ａと折り目１３との間に延在する。弱化切断線Ｅは、折り目Ｚの終端である、折り目２７ａ上に配置される点Ｂと、折り目１３と第２の折り目Ｘとの交差点である、折り目１３上に配置される点Ｃとの間に延在する。好ましくは、弱化切断線Ｅは、折り目１３と約４５°の角度を画定する。
【００７８】
第１の折り目Ｙは、弱化切断線Ｅと点Ｇで交差する。点Ｇは、点Ｃと点Ｂとの間に配置される。第１の折り目Ｙは、弱化切断線Ｅ、点Ｇで終端する。
【００７９】
弱化切断線Ｅ、第２の折り目Ｘ、及び、第１の折り目Ｙは、上面パネル１２の第１の三角形部分５０ａを画定する。
【００８０】
弱化切断線Ｅ、第３の折り目Ｚ、及び、第１の折り目Ｙは、上面パネル１２の第２の三角形部分５０ｂを画定する。
【００８１】
点Ｈ及び点Ａは、図２に点線で示される、第１の概念線Ｎを画定する。点Ｂ及び点Ａは、図２に点線で示される、第２の概念線Ｍを画定する。第１の概念線Ｎ及び第２の概念線Ｍは、上面パネル１２の一部を画定する。上面パネル１２のこの一部は、目標領域である。
【００８２】
点Ｄは、点Ａに近接して、好ましくは点Ａの３０ｍｍ以内に配置される。ある実施形態では、点Ｄは、点Ａの１０ｍｍ〜２０ｍｍの範囲内に配置される。より好ましくは、点Ｄは、点Ａの１２ｍｍ〜１７ｍｍの範囲内に配置される。
【００８３】
図３及び図４に図示されるカートン９０の構造を参照すると、カートン９０は、直線の機械において一連の連続する折り作業によって形成され得、これによりカートン９０は、その構築を完了するために回転されたり、裏返されたりする必要がないことが想定される。折り工程は、下記に説明することに限定されず、特定の製造要求によって変えられ得る。
【００８４】
接着剤または他の粘着処理がマンドレルパネル２２に、または別の実施形態では、第２の上面パネル２０の対応する部分に塗布される。
【００８５】
ブランク１０は、マンドレルパネル２２が第２の上面パネル２０の内面と面接触するように折り目２１で折られる。
【００８６】
ブランク１０は、第２の上面パネル２０及び第２の側面パネル１８がその辺りで共に折られるように折られる。第２の側面パネル１８は、内面が底面パネル１６の内面及び第１の側面パネル１４と面接触するように折られる。第２の上面パネル２０は、内面が第１の側面パネル１４の内面と面接触するように折られる。
【００８７】
接着剤または他の粘着処理が第１の上面パネル１２の内面に、または別の実施形態では、第２の上面パネル２０の外面の対応する部分に塗布される。
【００８８】
第１の上面パネル１２は、第１の上面パネル１２が第２の上面パネル２０と少なくとも部分的に重なるように折られる。
【００８９】
第１の上面パネル１２は、第２の上面パネル２０に固定されて、複合上面パネル１２／２０を形成し、これにより、平坦な潰されたカートンが形成される。カートン９０は、この平坦な潰された形で発送または分配され得る。
【００９０】
別の実施形態では、第２の上面パネル２０は、例えば、しかし限定することなく、発地クスまたは別の機械的な固定手段などの、別の固定手段によって第１の上面パネル１２に固定され得る。
【００９１】
平坦な潰されたカートンは、複合上面パネル１２／２０を底面パネル１６から分離することによって筒状構造に組み立てられ得る。
【００９２】
カートン９０は、その端部が開いた筒状形状において、１つまたは両方の開いた端部を通して物品が充填され得る。別の実施形態では、カートン９０の開いた両端部の１方が閉じられた後で、残った開いた端部と通して物品が充填される得ることが理解されるだろう。
【００９３】
ある実施形態では、いくつかまたは全ての端部閉鎖パネルが、外側に折られ、これにより、カートンの物品充填を容易にするために筒状構造の開いた端部にじょうごが作られ得る。
【００９４】
カートン９０に物品Ｂが充填されると、筒状構造の端部が閉じられる。
【００９５】
筒状構造の第１の端部は、第５の端部閉鎖パネル３４ａ、副上端部閉鎖パネルに沿って第１の端部閉鎖パネル２６ａを折り目２７ａ，３５ａそれぞれで折ることによって閉じられる。第３の端部閉鎖パネル３０ａ、副下端部閉鎖パネルは、折り目３１で折られる。
【００９６】
接着剤ｇまたは他の粘着処理が第３の端部閉鎖パネル３０ａに、または別の実施形態では、第２の端部閉鎖パネル２８ａまたは第４の端部閉鎖パネル３２ａの対応する部分に塗布され得る。
【００９７】
接着剤ｇまたは他の粘着処理が第１の端部閉鎖パネル２６ａ及び／または第５の端部閉鎖パネル３４ａに、または別の実施形態では、第２の端部閉鎖パネル２８ａまたは第４の端部閉鎖パネル３２ａの対応する部分に塗布され得る。
【００９８】
第４の端部閉鎖パネル３２ａは、次いで、折り目３３ａで折られて、第１の端部閉鎖パネル２６ａ及び第５の端部閉鎖パネル３４ａと接触し、かつ、第３の端部閉鎖パネル３０ａと接触し、随意的にそこに固定される。
【００９９】
接着剤ｇまたは他の粘着処理が第２の端部閉鎖パネル２８ａに、または別の実施形態では、第４の端部閉鎖パネル３０ａの対応する部分に塗布され得る。
【０１００】
第２の端部閉鎖パネル２８ａは、次いで、折り目２９ａで折られて、第４の端部閉鎖パネル３２ａと接触する。
【０１０１】
第８の端部閉鎖パネル３０ｂは、副下端部閉鎖パネルを形成する。第７の端部閉鎖パネル２８ｂ及び第９の端部閉鎖パネル３２ｂは、主側部閉鎖パネルを形成する。
【０１０２】
筒状構造の第２の端部は、第６の端部閉鎖パネル２６ｂを第１０の端部閉鎖パネル３４ｂ、副上端部閉鎖パネルに沿って折り目３５ａ，３７ａそれぞれで折ることによって閉じられる。
【０１０３】
第８の端部閉鎖パネル２８ｂ、副下端部閉鎖パネルは、折り目３１ｂで折られる。
【０１０４】
接着剤ｇまたは他の粘着処理が第８の端部閉鎖パネル３０ｂに、または別の実施形態では、第７の端部閉鎖パネル２８ｂまたは第９の端部閉鎖パネル３２ｂの対応する部分に塗布され得る。
【０１０５】
接着剤ｇまたは他の粘着処理が第６の端部閉鎖パネル２６ｂ及び／または第１０の端部閉鎖パネル３４ｂに、または別の実施形態では、第７の端部閉鎖パネル２８ｂまたは第９の端部閉鎖パネル３２ｂの対応する部分に塗布され得る。
【０１０６】
第９の端部閉鎖パネル３２ｂは、次いで、折り目３３ｂで折られて、第６の端部閉鎖パネル２６ｂ及び第１０の端部閉鎖パネル３４ｂと接触し、かつ、第８の端部閉鎖パネル３０ｂと接触し、随意的にそこに固定される。
【０１０７】
接着剤ｇまたは他の粘着処理が第７の端部閉鎖パネル２８ｂに、または別の実施形態では、第９の端部閉鎖パネル３０ｂの対応する部分に塗布され得る。
【０１０８】
第７の端部閉鎖パネル２８ｂは、次いで、折り目２９ｂで折られて、第９の端部閉鎖パネル３２ｂと接触する。
【０１０９】
図３は、複数の物品を有する梱包体を形成する、組み立てられたカートン９０を図示する。マンドレルパネル２２の位置は、点線で図示される。これは、どのように、マンドレルパネル２２が配置され、これにより、運搬用ハンドルが使用される際に、上面パネル１２，２０のどちらに縁が設けるかを図示する。縁ｅ２は、第１の上面パネル１２に設けられる折り目Ｙと揃えられる。
【０１１０】
縁ｅ１及び縁ｅ２が折り目Ｙそれぞれと垂直に整列されることが望ましい。
【０１１１】
ある実施形態では、マンドレルパネル２２の縁ｅ１及び縁ｅ２は、図２に示されるように、それらが、点Ａ，Ｂ，Ｃによって画定される目標領域Ｔの下に配置されるように構成される。
【０１１２】
目標領域Ｔは、点Ａと点Ｂとの間に延在する概念線Ｎと、点Ａと点Ｂとの間に円座おいする概念線Ｍと、弱化切断線Ｅと、によって画定される。マンドレルパネル２２の縁ｅ１及び縁ｅ２が目標領域Ｔの下に配置されると、図５に示されるように、運搬用ハンドルｈが使用される際に、マンドレルパネル２２は、第１及び第２の上面パネル１２，２０を折り易くする。図４は、カートン９０の内部容積を図示し、かつ、目標領域Ｔの下に配置されているマンドレルパネル２２の縁ｅ１及び縁ｅ２を示す。
【０１１３】
また別の実施形態では、図３に図示するように、縁ｅ１の終端Ｐ及び縁ｅ２の終端Ｑは、目標領域Ｔの下に垂直に整列するように配置されるように構成される。ある実施形態では、縁ｅ１の終端Ｐ及び縁ｅ２の終端Ｑは、第１の三角形部分５０ａ及び第２の三角形部分５０ｂによって画定される領域５０ａ／５０ｂの下に垂直に整列するように配置され得る。領域５０ａ／５０ｂは、第２の折り目Ｘ、第３の折り目Ｚ、及び、弱化切断線Ｅによって画定される。
【０１１４】
マンドレルパネル２２の縁ｅ２は、第２の上面パネル２０の縁と揃えられ、これにより、第２の上面パネル２０の縁は、第１の上面パネル１２が折れ得る縁をも設ける。
【０１１５】
マンドレルパネル２２の把持部分３８ｃは、第２の上面パネル２０の把持部分３８ｂと第１の上面パネル１２の把持部分３８ａと垂直に位置合わせされる。これにより、把持部分は、複層構造、この例では三層構造になる。
【０１１６】
種々の変更が、本願発明の範囲内でなされ得ることが理解できるだろう。例えば、パネル及び開口のサイズ及び形状は、異なるサイズ及び形状の物品に適合するように調整され得る。
【０１１７】
本願で使用されているような「上」、「下」、「前」、「後」、「端」、「側」、「内側」、「外側」、「上方」、及び「下方」などの方向指標は、このような配向にそれぞれのパネルを限定する必要はなく、単にこれらのパネルをそれぞれから区別するのに役立ち得るものであることが認識されるだろう。
【０１１８】
本願で使用されているような「ヒンジ連結」及び「折り目」との用語は、シート材の基材においてヒンジ連結機構を画定するあらゆる種類の線を意味し、互いに対して基材の一部を折り曲げること促進する、或いは、他の方法で、基材の最適なパネルの折り曲げ位置を示すためのものである。例えば、ヒンジ連結は、単一の折り目のみを必ず意味するように解釈されるべきではなく、実際にはヒンジ連結は、１つまたは複数の折り目から形成され得る。
【０１１９】
本願で使用されているような「折り目」との用語は、以下のうちの１つを意味する：スコア線（scored line）、エンボスライン（embossed line）、デボスライン（debossed line）、ミシン目の線、ショートスリットの線、ハーフカットの線、単一のハーフカット、中断されたカットライン、揃えられたスリット、スコアの線、及び、これらの選択肢の任意の組み合せ。
【０１２０】
本願で使用されているような「切断弱化線」との用語は、基材の一部分を互いから分離し易くする、または、基材上の最適な分離位置を示す、シート材の基材に形成されるあらゆる種類の線を意味する。例えば、シート材の基材における切断線は、そこに沿って伝搬して破ることを可能にするように事前に配置される。切断線は以下の１つであってよい：単一のカット、単一のハーフカット、中断されたカット、スコア線、中断されたスコア線、ミシン目の線、ショートカットの線、ショートスリットの線、ショートハーフカットの線、及び、これらの選択肢の任意の組み合せ。
【０１２１】
ヒンジ連結、弱化切断線、及び、折り目は、ミシン目、ミシン面の線、ショートスリットの線、ハーフカットの線、単一のハーフカット、カットライン、中断されたカットライン、スリット、スコア、これらの任意の組み合わせ、及び、同類物を含む、ブランクの基材に形成される要素をそれぞれ含み得る。これらの要素は、所望の機能性をもたらすように寸法付けかつ配置され得る。例えば、ミシン目の線は、折り目及び／または弱化切断線を画定するための脆弱度で寸法付けまたは設計され得る。ミシン目の線は、折り曲げ易く、かつ、破断しないように、或いは、折り曲げ易く、かつ、より力を入れると破断し易く、或いは、小さな力で破断し易く設計され得る。
【符号の説明】
【０１２２】
１０  ブランク
１２  第１の上面パネル
１４  第１の側面パネル
１６  底面パネル
１８  第２の側面パネル
２０  第２の上面パネル
２２  マンドレルパネル
３８  ハンドル把持部分
９０  カートン
【図１】
2016530174.tif 000003
【図２】
2016530174.tif 000004
【図３】
2016530174.tif 000005
【図４】
2016530174.tif 000006
【図５】
2016530174.tif 000007
【国際調査報告】
2016530174.tif 000008
2016530174.tif 000009